(57)【要約】  本発明は：ハウジング（１３）；上記ハウジング（１３）上に配置されたソケット領域であって、上記ソケット領域は、第１の規格及び第２の規格のプラグを収容するための第１のソケット（１５）及び第２のソケット（１７）であって、上記第１のソケット及び上記第２のソケットは第１のプラグ孔及び第２のプラグ孔を有する、第１のソケット（１５）及び第２のソケット（１７）を含む、ソケット領域を備える、電気コンセント、特に電気コンセントアダプタ（１１）に関する。上記コンセント（１１）はまた、上記第１のプラグ孔を被覆できる第１の可動保護要素（１９）、及び上記第２のプラグ孔を被覆できる第２の可動保護要素（２１）を備える。上記第１の保護要素（１９）又は上記第２の保護要素（２１）は、他の上記保護要素（１９、２１）が上記開放位置にある場合に、上記閉鎖位置に機械的にロックされる。【選択図】  図１
2017539072.tif 000002
【特許請求の範囲】
【請求項１】
‐ハウジング（１３）；
‐前記ハウジング（１３）上に配置されたソケット領域であって、前記ソケット領域は：
‐第１の規格及び第２の規格のプラグを収容するための第１のソケット（１５）及び第２のソケット（１７）であって、前記第１のソケット及び前記第２のソケットは第１のプラグ孔及び第２のプラグ孔を備える、第１のソケット（１５）及び第２のソケット（１７）
を含む、ソケット領域；
‐閉鎖位置と開放位置との間で調整でき、前記閉鎖位置において前記第１のプラグ孔を被覆し、前記開放位置において前記第１のプラグ孔をブロック解除する、第１の可動保護要素（１９）；並びに
‐閉鎖位置と開放位置との間で調整でき、前記閉鎖位置において前記第２のプラグ孔を被覆し、前記開放位置において前記第２のプラグ孔をブロック解除する、第２の可動保護要素（２１）
を備える、電気コンセント、特に電気コンセントアダプタ（１１）であって、
前記第１の保護要素（１９）又は前記第２の保護要素（２１）は、他方の前記保護要素（１９、２１）が前記開放位置にある場合に、更なるロック要素によって前記閉鎖位置に機械的にロックされることを特徴とする、電気コンセント。
【請求項２】
前記第１の保護要素（１９）又は前記第２の保護要素（２１）は、前記開放位置にありかつ前記更なるロック要素として作用する、他方の前記保護要素（１９、２１）によって、前記閉鎖位置に機械的にロックされることを特徴とする、請求項１に記載のコンセント。
【請求項３】
前記閉鎖位置において、前記第１の保護要素（１９）及び前記第２の保護要素（２１）は、反対の移動方向にプレストレスを印加されることを特徴とする、請求項１又は２に記載のコンセント。
【請求項４】
前記保護要素（１９）はロック要素（２７）を備え、
前記第１の保護要素（１９）又は前記第２の保護要素（２１）が前記開放位置にある場合、前記ロック要素（２７）によって、前記第２の保護要素（２１）との機械的接触が実装される
ことを特徴とする、請求項１〜３のいずれか１項に記載のコンセント。
【請求項５】
前記ロック要素（２７）上には、第１の突起（３７）及び第２の突起（３９）が、前記前記第１の保護要素（１９）の移動方向に相次いで形成され、
前記第２の保護要素（２１）を、前記突起（３７、３９）上に引っかけることができる
ことを特徴とする、請求項４に記載のコンセント。
【請求項６】
前記第２の保護要素（２１）から前記第１の突起（３７）の間隔は、前記第２の保護要素（２１）から前記第２の突起（３９）の間隔より小さいことを特徴とする、請求項５に記載のコンセント。
【請求項７】
前記第２の保護要素（２１）の開放位置において、前記第２の保護要素（２１）は、前記第１の突起（３７）上に引っかけられることを特徴とする、請求項５又は６に記載のコンセント。
【請求項８】
前記第１の保護要素（１９）の開放位置において、前記第２の保護要素（２１）、は前記第２の突起（３９）上に引っかけられることを特徴とする、請求項５〜７のいずれか１項に記載のコンセント。
【請求項９】
前記ロック要素（２７）は、前記ハウジング（１３）の内側から比較的小さな距離にある第１の位置から、前記ハウジング（１３）の内側から比較的大きな距離にある第２の位置へと、移動できることを特徴とする、請求項４〜８のいずれか１項に記載のコンセント。
【請求項１０】
前記ハウジング（１３）の内側にはランプ（３１）が形成され、
前記ロック要素（２７）は、前記ランプ（３１）に沿って、前記第１の位置から前記第２の位置へと、及びその逆にも摺動できる
ことを特徴とする、請求項４〜９のいずれか１項に記載のコンセント。
【請求項１１】
前記ロック要素（２７）は、スロット付きガイドを備え、
前記ロック要素（２７）は、前記スロット付きガイドによって、前記ランプ（３１）に沿って強制的に案内される
ことを特徴とする、請求項１０に記載のコンセント。
【請求項１２】
前記スロット付きガイドは、前記ロック要素上に設けられた細長孔（３３）、及び前記細長孔（３３）を通過して前記ハウジング（１３）に接続されるピン（３５）によって実装されることを特徴とする、請求項１１に記載のコンセント。
【請求項１３】
前記スロット付きガイドは、前記ランプの方向に配向され前記ハウジング（１３）に接続されるガイドレール（４３）によって実装されることを特徴とする、請求項１１に記載のコンセント。
【請求項１４】
前記第２の保護要素（２１）は、前記閉鎖位置から、前記ロック要素（２７）上の前記開放位置へとシフトできることを特徴とする、請求項４〜１３のいずれか１項に記載のコンセント。
【請求項１５】
第３のソケットを閉鎖するための第３の保護要素が存在し、
前記第３の保護要素は、前記第１の保護要素（１９）又は前記第２の保護要素（２１）と機械的に相互作用する
ことを特徴とする、請求項１〜１４のいずれか１項に記載のコンセント。
【発明の詳細な説明】
【技術分野】
【０００１】
本発明は、請求項１の前提部分によるコンセントに関する。
【背景技術】
【０００２】
先行技術から、極めて多様なコンセントアダプタが公知であり、これらは主に、異なるプラグシステム間の相違を埋めるために使用される。安全上の理由で、様々なプラグが挿入されるコンセントアダプタのソケット上には、保護カバー又はスライダが配設される。これらの保護カバーは、人の偶発的な感電につながり得る、適合しないプラグ又は鋭利な物体がソケット内に導入される可能性を防止する。保護カバー又はスライダは、用途に合ったプラグによってのみ開放でき、不適当な種類のプラグ又は他の物体を用いて開放するためのいずれの試みは成功しない。コンセントアダプタの誤った動作は主に子供によって行われるため、保護カバー又はスライダは、チャイルドプロテクション（ｃｈｉｌｄ  ｐｒｏｔｅｃｔｉｏｎ）とも呼ばれる。
【０００３】
このような保護カバー又はスライダの欠点は、これらは詰まりを生じることが多く、複数を一度にしかロック又はロック解除できないことである。これは、ある保護カバー又はスライダを対応するプラグによって開放するとすぐに、他方の保護カバー又はスライダが開放されてしまう場合があることを意味する。
【０００４】
実際には、残りのソケットは通常、挿入されたプラグによって被覆される。それにもかかわらず、特に、小さなプラグがコンセントアダプタ内に挿入されている場合、これは上記残りのソケットを被覆できず、保護機能は十分でない。
【０００５】
特許文献１では、第１及び第２の保護スライダを有する上述のようなコンセントアダプタが開示されている。これらの保護スライダは、ばねによって公知の様式でプレストレスを印加され、電気プラグの挿入により、ばね圧力に対抗して、プラグに対して直角に直線的にシフトできる。シフトの方向は、ランプの形状である保護スライダの前面により決定される。ＵＳプラグが挿入されると、第１の保護スライダは下方にシフトし、これによりプラグ孔が開放される。南アフリカの規格に従った電気プラグをコンセントアダプタに挿入することにより、第２の保護スライダが上方にシフトする。上記第１及び第２の保護スライダは、互いに独立して開閉できる。上記２つの保護スライダの開放方向は、反対方向である。従って、上記第１の保護スライダを開放しても、第２のスライダは上記第１の保護スライダ又は別の機械的ロックによって妨害されないため、続いて第２の保護スライダも開放できる。
【先行技術文献】
【特許文献】
【０００６】
【特許文献１】米国特許第５，９１９，０６０号
【発明の概要】
【発明が解決しようとする課題】
【０００７】
本発明の根底にある目的は、上述の先行技術の欠点から得られたものであり、上記目的は、誤った動作を確実に防ぎ、ユーザの安全性を高める、上記前提部分によるコンセントアダプタを開発することからなる。
【課題を解決するための手段】
【０００８】
本発明によると、上記目的は、請求項１の前提部分によるデバイスにより、第１又は第２の保護要素がそれぞれ、他方の保護要素が開放位置にある場合に、更なるロック要素によって閉鎖位置に機械的にロックされる、によって達成される。この機械的ロックにより、常に一方のソケットのみが、適合するプラグによって使用可能となり、その一方で他方のソケットは確実にロックされることが保証される。従って、適合するプラグを挿入しようと試みても、使用されていないソケットの保護要素のシフト又は移動は不可能である。
【０００９】
特に好ましい実施形態では、上記第１又は第２の保護要素は、開放位置にあり更なるロック手段として作用する他方の保護要素によって、閉鎖位置に機械的にロックされる。この特徴により、開放位置へとシフトする保護要素は、この元々存在する運動によって、他方の保護要素を同時にロックできるようになる。従って閉鎖されたスイッチのロックは、いずれの他の動作ステップを必要とせずに自動的に起こる。
【００１０】
閉鎖位置において、上記第１及び第２の保護要素が反対の移動方向にプレストレスを印加されると、有利であることが分かった。その結果、複数の保護要素をハウジング内において最小の空間内に配設でき、上記複数の保護要素は、使用されていない他方の保護要素をロックするために互いに相互作用できる。当然のことながら、２つの保護要素が共通の移動方向にプレストレスを印加されることも考えられる。
【００１１】
本発明は好ましくは、上記第１の保護要素がロック要素を備え、上記第１又は第２の保護要素が開放位置にある場合、上記ロック要素によって上記第２の保護要素との機械的接触が達成されることを特徴とする。上記第１の保護要素と上記第２の保護要素との機械的接触の技術的特徴により、上記２つの保護要素を、誤動作を起こさずにロックできるようにすることができる。
【００１２】
有利には、上記ロック要素上には、第１及び第２の突起が、上記第１の保護要素の移動方向に相次いで形成され、上記第２の保護要素を、上記突起上に引っかけることができる。その結果、２つの引っかかり位置が形成され、これらは、上記第１又は第２の保護要素を閉鎖位置にロックするために使用される。上記第１及び第２の突起に平行な平面内に他の複数の突起を設けて、他の複数の保護要素もロックできることも考えられる。
【００１３】
上記第２の保護要素から上記第１の突起の間隔は、上記第２の保護要素から上記第２の突起の間隔より小さいと、有利であることが分かった。このように、上記突起が段違いに配設された結果として、一方の突起は上記第２の保護要素と相互作用するには遠く離れ過ぎることにより、他方の突起だけが常に作用することになる。
【００１４】
更なる好ましい実施形態では、上記第２の保護要素の開放位置において、上記第２の保護要素は上記第１の突起上に引っかけられる。上記第２の保護要素は適合するプラグによって常に開放されているため、これは開放位置では上記プラグによって固定される。その結果、形状結合により上記第２の保護要素に接続されている第１の保護要素も、不可避的にロックされ、開放方向のシフトを阻止される。
【００１５】
更なる好ましい実施形態では、上記第１の保護要素の開放位置において、上記第２の保護要素は上記第２の突起上に引っかけられる。２つの突起を設けることにより、上記第１又は第２の保護要素を、上記閉鎖位置にロックできる。
【００１６】
また、上記ロック要素が、上記ハウジングの内側から比較的小さな距離にある第１の位置から、上記ハウジングの内側から比較的大きな距離にある第２の位置へと移動できると有利であることが分かった。上記ロック要素のこのシフトにより、上記第１の突起又は上記第２の突起が上記第２の保護要素と滑らかに相互作用できる。好ましくは、上記突起は、上記第２の保護要素のばねホルダと相互作用する。ばねホルダ上には肩部が形成され、これは追加の機能を提供する。上記ロック要素の上記突起のうちの１つに引っかけるために、上記第２の保護要素の他の突起又は肩部を用いることも考えられる。
【００１７】
特に好ましい実施形態では、上記ハウジングの内側にはランプが形成され、上記ロック要素は上記ランプに沿って、上記第１の位置から上記第２の位置へと、及びその逆にも摺動できる。上記ランプは上記第１の突起又は上記第２の突起が上記第２の保護要素と相互作用できる位置へと上記ロック要素をシフトさせるのに必要な、丁度の高さを有する。
【００１８】
本発明は好ましくは、上記ロック要素がスロット付きガイドを有し、上記スロット付きガイドによって、上記ロック要素が上記ランプに沿って強制的に案内されることを特徴とする。従って上記ロック要素は、常に上記ランプに接したまま、上記第１の保護要素の２つのシフト方向へと案内される。これによって、ハウジング内での上記第２の保護要素又は他の構成部品との詰まりが確実に防止される。
【００１９】
上記スロット付きガイドが、上記ロック要素上に設けられた細長孔、及び上記細長孔を通って案内されて上記ハウジングに接続されるピンによって実装されると、有利であることが分かった。上記細長孔は、上記ランプと同一の配向を有する。上記ピンは上記ハウジングに堅固に接続されるため、上記ロック要素は必ず、上記ランプに接したまま、上記第１の保護要素の各シフト位置に保持される。上記第２の保護要素による上記ロック要素の負荷もまた、上記ロック要素の回避的移動をもたらさない。
【００２０】
更なる好ましい実施形態では、上記スロット付きガイドは、ランプの方向に配向され上記ハウジングに接続されるガイドレールによって実装される。その後上記ロック要素は、上記ランプに接したまま、上記ランプと上記ガイドレールとの間の自由空間へと強制的に案内される。上記ロック要素はこの実施形態では細長孔を有しないため、弱化が少ない。しかしながら、上記ロック要素が上記ランプと上記ガイドレールとの間を摺動でき、かつ詰まりが発生しないように、上記ランプ及び上記ガイドレールを正確に配向しなければならない。
【００２１】
有利には、上記第２の保護要素は、閉鎖位置から、上記ロック要素上の開放位置へとシフトできるため、上記第２の保護要素のシフト可能性は妨げられない。上記ロック要素は、上記第２の保護要素をロックしなければならない場合に限り、上記ランプによって、上記第２のロック要素のシフト経路に導かれる。
【００２２】
有利には、第３のソケットを閉鎖するための第３の保護要素が存在し、上記第３の保護要素は、上記第１又は第２の保護要素と機械的に相互作用する。実際には、３つ以上のソケットをコンセント上に設けること、及び全ての使用されていない保護要素をロックするべきであることが考えられる。
【００２３】
概略図を参照した、本発明の２つの実施形態の例の以下の説明から、更なる利点及び特徴が得られる。図は正確な縮尺ではない。
【図面の簡単な説明】
【００２４】
【図１】図１は、第１及び第２の保護要素が閉鎖位置にある、本発明による電気コンセントの断面図である。
【図２】図２は、第１の保護要素が閉鎖位置にあり、第２の保護要素が開放位置にある、断面図である。
【図３】図３は、第２の保護要素が閉鎖位置にあり、第１の保護要素が開放位置にある、断面図である。
【図４】図４は、第２の保護要素が閉鎖位置にあり、第１の保護要素が開放位置にある、代替的なスロット付きガイドを伴う断面図である。
【発明を実施するための形態】
【００２５】
図１〜３では、本発明によるコンセントの実施形態の例の断面図を示す。上記コンセントには、全体を通して参照番号１１を付す。コンセント１１は好ましくはコンセントアダプタであり、これにより、ある特定の規格のプラグを、異なるプラグ規格を有する国々で使用できる。このようなコンセントアダプタは、旅行用プラグ又は旅行用アダプタとも呼ばれる。コンセントアダプタ１１はハウジング１３を備え、ハウジング１３内には、コンセントアダプタ１１の更なる要素が収容又は配設される。ハウジング１３は上側に、第１のソケット１５及び第２のソケット１７を有するソケット領域（詳細は図示せず）を備える。第１のソケット１５及び第２のソケット１７は、プラグ孔（図１〜３には図示せず）を有することを理解されたい。第１のソケット１５及び第２のソケット１７は、第１及び第２の規格のプラグを受承するために使用される。例えば第１のソケット１５はＵＳプラグを収容するのに好適であってよく、第２のソケット１７はＵＫプラグを挿入するのに好適であってよい。
【００２６】
ハウジング１３内には、第１のスライダ１９及び第２のスライダ２１の形態の第１及び第２の保護要素が配設される。スライダ１９、２１は、第１及び第２の規格のプラグの挿入方向に垂直な平面において垂直に直線的にシフトできる。プラグを挿入することにより、スライダ１９、２１を閉鎖位置から開放位置へとシフトできる。図１において、２つのスライダ１９、２１を閉鎖位置で示す。閉鎖位置では、スライダ１９、２１は、第１のばね２３及び第２のばね２５によってプレストレスを印加される。プラグを第１のソケット１５及び第２のソケット１７から引き抜くと、スライダ１９、２１は自動的に閉鎖され、その一方でスライダ１９、２１はばね２３、２５によって閉鎖位置に戻される。図面が示すように、スライダ１９、２１は反対のシフト方向にプレストレスを印加される。よって、ばね２３、２５はスライダ１９、２１を圧迫する。スライダ１９、２１は、適合するプラグによってのみシフトできる。これは好ましくは、スライダ上に設けられたランプによって実装され、上記ランプは、挿入方向を挿入方向に垂直なシフト方向へと変換する。適合しないプラグ、又は誤って使用される尖った物体の挿入は、スライダ１９、２１によって防止される。
【００２７】
２つのソケット１５、１７のうちの一方が使用中の場合、他方のソケットのスライダが閉鎖位置において機械的にロックされる。第１のスライダ１９が開放されると、続いて第２のスライダ２１が第２のスライダ２１の閉鎖位置にロックされる。第２のスライダ２１が開放されると、続いて第１のスライダ１９が閉鎖位置においてロックされる。これにより、動作安全性が向上する。
【００２８】
第１のスライダ１９及び第２のスライダ２１は、これら自体を互いに対してロックでき、これにより２つのスライダ１９、２１間に機械的接続がもたらされる。この接続は、図１〜３の実施形態の例ではペアで存在するロック要素２７によって実装される。ロック要素２７は、第１のスライダ１９のばねホルダ２９の領域内で取り付けられる。ロック要素２７は、ハウジングの内側に形成されたランプ３１に沿って強制的に案内される。ロック要素２７は、あたかもレール上のようにランプ３１上を摺動でき、また上記強制的な案内により、ランプ３１の配向から逸脱できない。ランプ３１により、ロック要素２７は、第１のスライダ１９が閉鎖位置から開放位置へとシフトすると、上記ハウジングの内部へと押圧される。
【００２９】
強制的な案内は、スロット付きガイドによって実装される。上記スロット付きガイドは、上記ロック要素上に設けられた細長孔３３、及びハウジング１３に接続されたピン３５を備える。細長孔３３は、上記ランプと同一の配向を有し、従って上記ランプに平行に配向される。ピン３５は、上記ハウジングの内側に不動に取り付けられる。その結果、ロック要素２７が第１のスライダ１９によって引き下げられると、ロック要素２７はランプ３１から逸脱できない。
【００３０】
ロック要素２７上には、第１の突起及び第２の突起が形成され、それらの上に、第２のスライダ２１のばねホルダ４１又は第２のスライダ２１の別の肩部を引っかけることができる。第１及び第２の突起は、上下に並んで配設される。換言すると、第１及び第２の突起３７、３９は、スライダ１９、２１の移動方向に相次いで配設される。
【００３１】
第２のスライダ２１が開放位置へとシフトすると、ばねホルダ４１は第２の突起３９を通過して摺動できる。というのは、第２の突起３９はばねホルダ４１から比較的大きな距離を置いて配置されているからであり、また第１のスライダ１９の閉鎖位置ではロック要素２７がランプ３１によってハウジングの内部へと押圧されないからである。第２のスライダ２１が開放位置に到達すると、ばねホルダ４１は第１の突起３７に当接する。第２のスライダ２１は、挿入されたプラグによって開放位置に固定される。第１のスライダ１９は第１の突起３７によって閉鎖位置に保持され、ロックされる。第１のスライダ１９のこのロック又はブロックを、図２に示す。
【００３２】
図３では、第１の位置での第２のスライダ２１のロック又はブロックを示す。適合するプラグを挿入することにより、第１のスライダは開放位置へと下方にシフトされる。ここでロック要素２７はランプ３１に沿って案内され、ランプ３１によって、ランプ３１の高さだけハウジング内部へとシフトされる。第１のスライダ１９の開放位置では、ばねホルダ４１は第２の突起３９上に引っかかる。従って、第１のスライダ１９が開放位置にある場合、第２のスライダ２１はロック要素２７によって閉鎖位置にロックされる。
【００３３】
図４では、閉鎖位置での第２のスライダ２１のロック又はブロックも示す。しかしながら、スロット付きガイドは、図１〜３の実施形態の例とは異なって実装される。この実施形態の例では、ピン３５及び細長孔３３は、ガイドレール４３で置換される。その結果、ランプ３１とガイドレール４３との間に自由空間４５が形成され、この自由空間45ではロック要素２７が摺動でき、またロック要素２７が強制的に案内される。ロック要素２７は、自由空間４５内で詰まったり傾いたりすることなく、自由空間４５に厳密に適合するように、寸法設定される。
【００３４】
ガイドレール４３は、ガイドレール４３がランプ３１の方向に正確に配向されさえすれば、ハウジング１３のいずれの場所に取り付けてよい。図４において、ガイドレール４３が第１のばね２３のハウジングのばねホルダ４７上に形成されているのを示す。その結果、ハウジングのばねホルダ４７はいずれの場合においてもハウジング１３に取り付けなければならないため、ハウジング１３に対する更なる取り付けは不要であり、これにより第１のばね２３はハウジング１３を押圧できる。
【００３５】
本発明によるコンセント１１は、空間の節約と、他方のソケットがプラグによって使用中の場合の、使用されていないソケットの簡単かつ確実なブロックとを可能にする。
【符号の説明】
【００３６】
１１  電気コンセントアダプタ
１３  ハウジング
１５  第１のソケット
１７  第２のソケット
１９  第１の保護要素、第１のスライダ
２１  第２の保護要素、第２のスライダ
２３  第１のばね
２５  第２のばね
２７  ロック要素
２９  第１のスライダのばねホルダ
３１  ランプ
３３  細長孔
３５  ピン
３７  第１の突起
３９  第２の突起
４１  第２のスライダのばねホルダ
４３  ハウジング上のガイドレール
４５  自由空間
４７  ハウジングのばねホルダ
【図１】
2017539072.tif 000003
【図２】
2017539072.tif 000004
【図３】
2017539072.tif 000005
【図４】
2017539072.tif 000006
【国際調査報告】
2017539072.tif 000007
2017539072.tif 000008
2017539072.tif 000009
2017539072.tif 000010